(57)【特許請求の範囲】
【請求項１】
放射線画像が蓄積記録された蓄積性蛍光体シートに励起光を主走査し、かつ前記蓄積性蛍光体シートを該主走査方向と略垂直方向に副走査して前記放射線画像を輝尽発光光に変換し、該蓄積性蛍光体シートから得られる輝尽発光光を、前記蓄積性蛍光体シートにおける前記励起光が照射される箇所の近傍に配設された集光ミラーにより反射集光して光電的に読み取る画像読取方法において、
前記集光ミラーが前記蓄積性蛍光体シートにより反射された反射励起光を透過する特性を有し、
前記蓄積性蛍光体シートの先端が前記励起光により主走査されたとき、前記蓄積性蛍光体シートの先端による反射励起光のうち前記集光ミラーを透過した反射励起光を検出して前記蓄積性蛍光体シートの先端を検出することを特徴とする画像読取方法。
【請求項２】
放射線画像が蓄積記録された蓄積性蛍光体シートに励起光を主走査し、かつ前記蓄積性蛍光体シートを該主走査方向と略垂直方向に副走査して前記放射線画像を輝尽発光光に変換し、該蓄積性蛍光体シートの表面から得られる輝尽発光光を、前記蓄積性蛍光体シートの前記表面側における前記励起光が照射される箇所の近傍に配設された集光ミラーにより反射集光して光電的に読み取るとともに、前記蓄積性蛍光体シートの裏面から得られる輝尽発光光を光電的に読み取る画像読取方法において、
前記集光ミラーが前記蓄積性蛍光体シートにより反射された反射励起光を透過する特性を有し、
前記蓄積性蛍光体シートの先端が前記励起光により主走査されたとき、前記蓄積性蛍光体シートの先端による反射励起光のうち前記集光ミラーを透過した反射励起光を検出して前記蓄積性蛍光体シートの先端を検出することを特徴とする画像読取方法。
【請求項３】
前記集光ミラーは、前記輝尽発光光を反射する特性をさらに有することを特徴とする請求項１または２記載の画像読取方法。
【請求項４】
前記蓄積性蛍光体シートは、その下面をガイド板に支持されて前記副走査されてなり、
前記蓄積性蛍光体シートの前記励起光が照射される箇所に対応する前記ガイド板の位置に、開口部が設けられてなることを特徴とする請求項１から３のいずれか１項記載の画像読取方法。
【請求項５】
前記蓄積性蛍光体シートは、その下面をガイド板に支持されて前記副走査されてなり、
少なくとも前記蓄積性蛍光体シートの前記励起光が照射される箇所に対応する前記ガイド板の位置が黒色に着色されてなることを特徴とする請求項１から３のいずれか１項記載の画像読取方法。
【請求項６】
放射線画像が蓄積記録された蓄積性蛍光体シートに励起光を主走査する主走査手段と、前記蓄積性蛍光体シートを該主走査方向と略垂直方向に副走査する副走査手段と、前記励起光の主走査により前記蓄積性蛍光体シートから得られる輝尽発光光を反射する、前記蓄積性蛍光体シートにおける前記励起光が照射される箇所の近傍に配設された集光ミラーと、前記蓄積性蛍光体シートから得られる輝尽発光光および前記集光ミラーにより反射される輝尽発光光を光電的に読み取る読取手段とを備えた画像読取装置において、
前記集光ミラーが前記蓄積性蛍光体シートにより反射された反射励起光を透過する特性を有し、
前記集光ミラーを支持する支持手段に該集光ミラーを透過した反射励起光を検出する検出手段を設け、
前記蓄積性蛍光体シートの先端が前記励起光により主走査されたとき、前記蓄積性蛍光体シートの先端による反射励起光のうち前記集光ミラーを透過した反射励起光を前記検出手段により検出して前記蓄積性蛍光体シートの先端を検出することを特徴とする画像読取装置。
【請求項７】
放射線画像が蓄積記録された蓄積性蛍光体シートに励起光を主走査する主走査手段と、前記蓄積性蛍光体シートを該主走査方向と略垂直方向に副走査する副走査手段と、励起光の主走査により前記蓄積性蛍光体シートの表面から得られる輝尽発光光を反射する、前記蓄積性蛍光体シートにおける前記励起光が照射される箇所の近傍に配設された集光ミラーと、前記蓄積性蛍光体シートの表面から得られる輝尽発光光および前記集光ミラーにより反射された輝尽発光光を光電的に読み取る第１の読取手段と、前記蓄積性蛍光体シートの裏面から得られる輝尽発光光を光電的に読み取る第２の読取手段とを備えた画像読取装置において、
前記集光ミラーが前記蓄積性蛍光体シートにより反射された反射励起光を透過する特性を有し、
前記集光ミラーを支持する支持手段に該集光ミラーを透過した反射励起光を検出する検出手段を設け、
前記蓄積性蛍光体シートの先端が前記励起光により主走査されたとき、前記蓄積性蛍光体シートの先端による反射励起光のうち前記集光ミラーを透過した反射励起光を前記検出手段により検出して前記蓄積性蛍光体シートの先端を検出することを特徴とする画像読取装置。
【請求項８】
前記集光ミラーは、前記輝尽発光光を反射する特性をさらに有することを特徴とする請求項６または７記載の画像読取装置。
【請求項９】
前記蓄積性蛍光体シートの下面をガイドするガイド板をさらに備え、
該ガイド板は、前記蓄積性蛍光体シートの前記励起光が照射される箇所に対応する位置に、開口部が設けられてなることを特徴とする請求項６から８のいずれか１項記載の画像読取装置。
【請求項１０】
前記蓄積性蛍光体シートの下面をガイドするガイド板をさらに備え、
該ガイド板は、少なくとも前記蓄積性蛍光体シートの前記励起光が照射される箇所に対応する位置が黒色に着色されてなることを特徴とする請求項６から８のいずれか１項記載の画像読取装置。
【発明の詳細な説明】
【０００１】
【発明の属する技術分野】
本発明は、放射線画像が蓄積記録された蓄積性蛍光体シートに励起光を照射し、このシートから放射線画像を表す画像信号を得る画像読取方法および装置に関するものである。
【０００２】
【従来の技術】
記録された放射線画像を読み取って画像信号を得、この画像信号に適切な画像処理を施した後、画像を再生記録することが種々の分野で行われている。例えば、後の画像処理に適合するように設計されたガンマ値の低いフイルムを用いてＸ線画像を記録し、このＸ線画像が記録されたフイルムからＸ線画像を読み取って電気信号に変換し、この電気信号（画像信号）に画像処理を施した後コピー写真等に可視像として再生することにより、コントラスト、シャープネス、粒状性等の画質性能の良好な再生画像を得ることのできるシステムが開発されている（特公昭61−5193号公報参照）。
【０００３】
また本出願人により、放射線（Ｘ線、α線、β線、γ線、電子線、紫外線等）を照射するとこの放射線エネルギーの一部が蓄積され、その後可視光等の励起光を照射すると蓄積されたエネルギーに応じた光量の輝尽発光光を放射する蓄積性蛍光体（輝尽性蛍光体）を利用して、人体等の被写体の放射線画像を一旦シート状の蓄積性蛍光体に撮影記録し、蓄積性蛍光体シートをレーザ光等の励起光で走査して輝尽発光光を生ぜしめ、得られた輝尽発光光を光電的に読み取って画像信号を得、この画像信号に基づいて被写体の放射線画像を写真感光材料等の記録材料、ＣＲＴ等に可視像として出力させる放射線記録再生システムがすでに提案されている（特開昭55-12429号、同56-11395号、同55-0163472号、同56-164645 号、同55-116340 号等）。このような放射線画像記録再生システムにおいては、輝尽発光光は、蓄積性蛍光体シートから散乱して発せられるため、散乱された輝尽発光光を効率よく集光するために、励起光の照射位置の近傍に、集光ガイドおよび集光ミラーを設け、散乱された輝尽発光光を集光ミラーにより集光ガイドに向けて反射して集光ガイドにより集光するようにしている。
【０００４】
また、このような蓄積性蛍光体シートを利用する放射線画像情報記録再生システムにおいては、輝尽発光光を光電的に読み取る方法として、蓄積性蛍光体シートの両面に光電読取手段を配して、蓄積性蛍光体シートの両面または片面にのみ励起光を走査し、この励起光走査により発せられた輝尽発光光を蓄積性蛍光体シートの両面から光電的に読み取る両面集光読取方法が提案されている（例えば、特開昭55-87970号公報参照）。このような両面集光読取方法は、蓄積性蛍光体シートに１つの放射線画像が蓄積記録され、かつ蓄積性蛍光体シートの両面から輝尽発光光を集光するようにしたものであるので、集光効率が向上し、Ｓ／Ｎ比がより改善される。
【０００５】
一方、上述したような放射線画像再生システムにおいて、同一被写体を撮影することにより得られた複数の蓄積性蛍光体シートをそれぞれ走査して複数の画像信号を得、これを重ね合わせてＳ／Ｎ比やコントラストの高い画像を得る重ね合わせ処理や、ある画像からその画像の一部を除去するサブトラクション処理を行う場合には、各走査時の始端を正確に合致させて走査を行う必要がある。このため、例えば特開昭58-31662号公報などに蓄積性蛍光体シートの先端を検出するための方法が提案されている。この特開昭58-31662号公報に記載された方法は、励起光により蓄積性蛍光体シートの先端が走査されたときに、この先端による励起光の反射をセンサなどにより検出して蓄積性蛍光体シートの先端を検出するようにしたものである。
【０００６】
【発明が解決しようとする課題】
上記特開昭58-31662号公報に記載された方法は、反射光を検出するためのセンサが必要であるが、上述したように散乱した輝尽発光光を検出するための集光ミラーや集光ガイドが配設された読取装置においては、センサの取付位置に自由度がなく、取付上の制約が厳しい。このため、センサの取付位置が限定されてしまい、その限られた位置においては安定した先端検出を行うことができなかった。とくに、上述した両面読取方式を採用した装置においては、蓄積性蛍光体シートの裏面側にも集光ガイドが設けられるため、センサの取付位置が一層制限されてしまうものである。
【０００７】
本発明は上記事情に鑑みなされたものであり、蓄積性蛍光体シートの先端を安定して検出することができる画像読取方法および装置を提供することを目的とするものである。
【０００８】
【課題を解決するための手段】
本発明による第１の画像読取方法は、放射線画像が蓄積記録された蓄積性蛍光体シートに励起光を主走査し、かつ前記蓄積性蛍光体シートを該主走査方向と略垂直方向に副走査して前記放射線画像を輝尽発光光に変換し、該蓄積性蛍光体シートから得られる輝尽発光光を、前記蓄積性蛍光体シートにおける前記励起光が照射される箇所の近傍に配設された集光ミラーにより反射集光して光電的に読み取る画像読取方法において、
前記集光ミラーが前記蓄積性蛍光体シートにより反射された反射励起光を透過する特性を有し、
前記蓄積性蛍光体シートの先端が前記励起光により主走査されたとき、前記蓄積性蛍光体シートの先端による反射励起光のうち前記集光ミラーを透過した反射励起光を検出して前記蓄積性蛍光体シートの先端を検出することを特徴とするものである。
【０００９】
また、本発明による第２の画像読取方法は、上述した両面読取方式の画像読取方法において、集光ミラーが前記蓄積性蛍光体シートにより反射された反射励起光を透過する特性を有し、
前記蓄積性蛍光体シートの先端が前記励起光により主走査されたとき、前記蓄積性蛍光体シートの先端による反射励起光のうち前記集光ミラーを透過した反射励起光を検出して前記蓄積性蛍光体シートの先端を検出することを特徴とするものである。
【００１０】
また、上記集光ミラーは、前記輝尽発光光を反射する特性を有することが好ましい。
【００１１】
さらに、上記第１および第２の画像読取方法においては、前記蓄積性蛍光体シートは、その下面をガイド板に支持されて前記副走査されてなり、
前記蓄積性蛍光体シートの前記励起光が照射される箇所に対応する前記ガイド板の位置に、開口部が設けられてなることが好ましく、また、前記開口部に代えて、少なくとも前記蓄積性蛍光体シートの前記励起光が照射される箇所に対応する前記ガイド板の位置を黒色に着色してもよい。
【００１２】
また、本発明により第１の画像読取装置は、上記本発明による第１の画像読取方法を実施するためのものであり、放射線画像が蓄積記録された蓄積性蛍光体シートに励起光を主走査する主走査手段と、前記蓄積性蛍光体シートを該主走査方向と略垂直方向に副走査する副走査手段と、前記励起光の主走査により前記蓄積性蛍光体シートから得られる輝尽発光光を反射する、前記蓄積性蛍光体シートにおける前記励起光が照射される箇所の近傍に配設された集光ミラーと、前記蓄積性蛍光体シートから得られる輝尽発光光および前記集光ミラーにより反射される輝尽発光光を光電的に読み取る読取手段とを備えた画像読取装置において、
前記集光ミラーが前記蓄積性蛍光体シートにより反射された反射励起光を透過する特性を有し、
前記集光ミラーを支持する支持手段に該集光ミラーを透過した反射励起光を検出する検出手段を設け、
前記蓄積性蛍光体シートの先端が前記励起光により主走査されたとき、前記蓄積性蛍光体シートの先端による反射励起光のうち前記集光ミラーを透過した反射励起光を前記検出手段により検出して前記蓄積性蛍光体シートの先端を検出することを特徴とするものである。
【００１３】
さらに、本発明による第２の画像読取装置は、上述した両面読取方式の画像読取装置において、集光ミラーが前記蓄積性蛍光体シートにより反射された反射励起光を透過する特性を有し、
前記集光ミラーを支持する支持手段に該集光ミラーを透過した反射励起光を検出する検出手段を設け、
前記蓄積性蛍光体シートの先端が前記励起光により主走査されたとき、前記蓄積性蛍光体シートの先端による反射励起光のうち前記集光ミラーを透過した反射励起光を前記検出手段により検出して前記蓄積性蛍光体シートの先端を検出することを特徴とするものである。
【００１４】
また、前記集光ミラーは、前記輝尽発光光を反射する特性を有することが好ましい。
【００１５】
さらに、上記第１および第２の画像読取装置においては、前記蓄積性蛍光体シートの下面をガイドするガイド板をさらに備え、
該ガイド板は、前記蓄積性蛍光体シートの前記励起光が照射される箇所に対応する位置に、開口部が設けられてなるものとすることが好ましく、また、開口部に代えて、少なくとも前記蓄積性蛍光体シートの前記励起光が照射される箇所に対応する位置を黒色に着色してもよい。
【００１６】
【発明の効果】
本発明の画像読取方法および装置によれば、散乱した輝尽発光光を反射集光するための集光ミラーを透過した、蓄積性蛍光体シートの先端により反射された反射励起光を検出するようにしたため、この反射励起光を検出する検出手段の取付位置について考慮する必要が無くなり、これにより装置を簡易に構成することができる。とくに、両面集光を行う画像読取方法および装置においては、蓄積性蛍光体シートの裏面にも読取手段が配設されるため、検出手段を取り付けることが非常に困難であるが、本発明のように集光ミラーを透過した反射励起光を検出することにより、本発明による装置のように、集光ミラーの支持手段に検出手段を取り付けることができ、何ら苦労を伴うことなく装置を構成することができる。また、検出手段の取付位置を集光ミラーの支持手段に固定できるため、蓄積性蛍光体シートの先端を常に安定して検出することができる。
【００１７】
また、蓄積性蛍光体シートの下面をガイド板により案内するようにした場合、蓄積性蛍光体シートの励起光が照射される箇所に対応するガイド板の位置に開口部を設けることにより、蓄積性蛍光体シートの先端が励起光が照射される箇所に副走査されるまでは、ガイド板によって励起光が反射されることが無くなるため、検出手段には反射励起光は検出されることが無くなる。これにより、蓄積性蛍光体シートの先端に励起光が照射されたときにのみ検出手段に反射励起光が検出されることとなるため、蓄積性蛍光体シートの先端検出をより正確に行うことができる。
【００１８】
さらに、この場合、ガイド板に開口部を設けることなく、少なくとも蓄積性蛍光体シートの励起光が照射される箇所に対応する位置を黒色に着色することにより、ガイド板に励起光が照射されても励起光が反射しにくくなる。したがって、蓄積性蛍光体シートの先端が励起光が照射される箇所に副走査されるまでは、ガイド板によって励起光が反射されることが無くなるため、検出手段には反射励起光は検出されることが無くなり、これにより、蓄積性蛍光体シートの先端に励起光が照射されたときにのみ検出手段に反射励起光が検出され、蓄積性蛍光体シートの先端検出をより正確に行うことができる。
【００１９】
【発明の実施の形態】
以下図面を参照して本発明の実施形態について説明する。
【００２０】
図１は放射線画像撮影装置を表す図である。図１に示すように、蓄積性蛍光体シート４を配置して放射線源３を駆動させて、放射線２を発せしめることにより、被写体１を透過した放射線２は蓄積性蛍光体シート４に照射され、被写体１の放射線画像情報が蓄積性蛍光体シート４に蓄積記録される。
【００２１】
次にこの蓄積性蛍光体シート４から、図２に示すような本発明による画像読取装置によって放射線画像を読み取り、放射線画像を表す画像信号を得る。
【００２２】
蓄積性蛍光体シート４が、図示しないモータにより回転されるエンドレスベルト9a，9b上に配置される。エンドレスベルト9a，9bは、蓄積性蛍光体シート４の両側部を支持し、蓄積性蛍光体シート４の中央部はセンタガイド８により支持される。このシート４の上方には、励起光であるレーザ光11を発するレーザ光源10と、そのレーザ光11を反射偏向し、シート４を主走査する図示しないモータにより回転される回転多面鏡12とが配されている。なお、センタガイド８におけるレーザ光11が照射される位置には開口部８Ａが形成されている。さらに、レーザ光11が走査される位置の上方には、そのレーザ光11の走査により発せられる輝尽発光光を上方より集光する集光ガイド14a が近接して配設され、その位置の下方には、輝尽発光光を下方より集光する集光ガイド14b がシート４と垂直に配設されている。また、集光ガイド14a の近傍には、蓄積性蛍光体シート４から散乱して発せられた輝尽発光光を集光ガイド14a に向けて反射するための集光ミラー７が配設されている。なお、集光ミラー７はミラーマウント６により支持されている。各集光ガイド14a ，14b は、それぞれ輝尽発光光を光電的に検出するフォトマルチプライヤ（光電子増倍管）15a ，15b が接続されている。このフォトマルチプライヤ15a ，15b は対数増幅器16a ，16b に接続され、さらにこの対数増幅器16a ，16b は、Ａ／Ｄ変換器17a ，17b に接続され、各Ａ／Ｄ変換器17a ，17b は記憶手段18に接続されている。
【００２３】
集光ミラー７は、ダイクロイックミラーからなるものであり、レーザ光11の波長域である600 〜700nm の波長域の光を透過し、励起光の波長域である400 〜500 nmの波長域の光を反射するものである。集光ミラー７を支持するミラーマウント６の中央部には、図３に示すように集光ミラー７を透過した光を検出するセンサ５が埋設されている。ミラーマウント６の略中央部には図２に示すように集光ミラー７を透過した光を案内する通路６Ａが形成されており、この通路６Ａを通過した光がセンサ５により検出される。そして、センサ５の検出出力は始点信号Ｂとして本装置のシーケンスコントローラ20に入力される。ここで、シーケンスコントローラ20は、センサ５から入力された始点信号Ｂによりフォトマルチプライヤ15a ，15b により輝尽発光光の検出を開始する。
【００２４】
被写体の放射線画像が蓄積記録された蓄積性蛍光体シート４がエンドレスベルト9a，9b上およびセンタガイド８上にセットされる。この所定位置にセットされた蓄積性蛍光体シート４は、エンドレスベルト9a，9bにより、矢印Ｙ方向に搬送（副走査）される。一方、レーザ光源10から発せられたレーザ光11は図示しないモータにより駆動されて高速回転する回転多面鏡12によって反射偏向され、シート４に入射し副走査の方向（矢印Ｙ方向）と略垂直な方向（紙面に垂直な方向）に主走査する。
【００２５】
ここで、シート４がレーザ光11の照射位置に搬送されるまでは、レーザ光11はセンタガイド８に照射されるが、センタガイド８におけるレーザ光11の照射位置に対応する位置には開口部８Ａが形成されているため、レーザ光11はセンタガイド８により反射されることはない。シート４がレーザ光11の照射位置に搬送されると、このレーザ光11が照射されたシート４の箇所からは、蓄積記録されている放射線画像情報に応じた光量の輝尽発光光13a ，13b （ここで、輝尽発光光13a ，13b はそれぞれシート４の上方、下方から発散されたものを示す）が発散されるとともに、レーザ光11がシート４の先端により反射される。シート４の表面から発せられた輝尽発光光13a は散乱しているが、集光ミラー７により反射されて集光ガイド14a に集光される。一方、シート４において反射されたレーザ光11は、集光ミラー７を透過してミラーマウント６に設けられたセンサ５により検出される。センサ５は集光ミラー７を透過したレーザ光11を検出すると、始点信号Ｂをシーケンスコントローラ20に出力する。シーケンスコントローラ20は、センサ５から入力された始点信号Ｂに基づいて、フォトマルチプライヤ15a ，15b による検出を開始する。
【００２６】
入射端面から集光ガイド14a 内に入射した輝尽発光光13a は、集光ガイド14a の内部を全反射を繰り返して進み、出射端面から出射してフォトマルチプライヤ15a に受光され、放射線画像を表す輝尽発光光13a の光量がフォトマルチプライヤ15a によって電気信号に変換される。同様に、輝尽発光光13b は集光ガイド14b によって導かれ、フォトマルチプライヤ15b によって光電的に検出される。
【００２７】
フォトマルチプライヤ15a から出力されたアナログ画像信号ＳA は対数増幅器16a で対数的に増幅されてＡ／Ｄ変換器17a に入力され、ここでデジタル画像信号Ｓ1 に変換されて記憶手段18に入力される。また同様に、フォトマルチプライヤ15b から出力されたアナログ画像信号ＳB は対数増幅器16b で対数的に増幅されてＡ／Ｄ変換器17b に入力され、ここでデジタル画像信号Ｓ2 に変換されて記憶手段18に入力される。記憶手段18に記憶されたデジタル画像信号Ｓ1 ，Ｓ2 は画像処理手段19に入力されて、互いに加算される。このようにして得られた加算画像信号Ｓadd は所定の画像処理が施され、不図示の再生手段において放射線画像の再生に供せられる。
【００２８】
この再生手段は、ＣＲＴ等のディスプレイ手段でもよいし、感光フイルムに光走査記録を行う記録装置であってもよい。
【００２９】
このように、本実施形態においては、蓄積性蛍光体シート４の先端を検出するためのセンサ５を集光ミラー７を支持するミラーマウント６に設けたため、シート４の先端検出のためのセンサ５の取付位置について考慮する必要が無くなり、これにより装置を簡易に構成することができる。とくに、本実施形態のように両面集光を行う画像読取装置においては、蓄積性蛍光体シート４の裏面にも集光ガイド14b 配設されるため、センサ５を取り付けることが非常に困難であるが、本実施形態のように集光ミラー７のミラーマウント６にセンサ５を取り付けることにより、何ら苦労を伴うことなく装置を構成することができる。また、センサ５の取付位置はミラーマウント６に固定されるため、蓄積性蛍光体シート４の先端を安定して検出することができる。
【００３０】
また、本実施形態においては、蓄積性蛍光体シート４の下面を案内するセンタガイド８におけるレーザ光11が照射される箇所に対応する位置に開口部８Ａを設けたため、蓄積性蛍光体シート４の先端がレーザ光11が照射される箇所になくともセンタガイド８によってレーザ光11が反射されることが無くなるため、センサ５には反射レーザ光11は検出されることが無くなる。これにより、蓄積性蛍光体シート４の先端にレーザ光11が照射されたときにのみセンサ５に反射レーザ光11が検出されるため、蓄積性蛍光体シート４の先端検出をより正確に行うことができる。
【００３１】
なお、上記実施形態においては、両面読取りを行う画像読取装置について説明したが、図４に示すように、蓄積性蛍光体シート４の片面のみから放射線画像の読取りを行う放射線画像読取装置にも、図２に示す放射線画像読取装置と同様に本発明を適用することができる。なお、図４において図２と同一の構成要素については図２の参照番号から「ａ」を除いた番号を付し、詳細な説明は省略する。
【００３２】
また、上記実施形態においては、センタガイド８のレーザ光11が照射される箇所に開口部８Ａを設けているが、開口部８Ａを設けることなく、センタガイド８の表面を黒色に着色するようにしてもよい。これにより、センタガイド８にレーザ光11が照射されてもレーザ光11が反射しにくくなるため、蓄積性蛍光体シート４の先端がレーザ光11が照射される箇所に搬送されるまでは、センタガイド８によってレーザ光11が反射されることが無くなる。これにより、蓄積性蛍光体シート４の先端にレーザ光11が照射されたときにのみセンサ５に反射レーザ光11が検出されることとなるため、蓄積性蛍光体シート４の先端検出をより正確に行うことができる。なお、黒色に着色する箇所はセンタガイド８の全面であってもよく、レーザ光11が照射される箇所のみであってもよい。
【００３３】
さらに、上記実施形態においては、図３に示すようにミラーマウント６の略中央部にセンサ５を設けているが、集光ミラー７を透過した反射レーザ光11を検出可能な位置であれば、いずれの位置に設けてもよい。また、ミラーマウント６にセンサ５を埋設しているが、これに限定されるものではなく、ミラーマウント６の表面に取り付けるようにしてもよい。
【図面の簡単な説明】
【図１】放射線画像撮影装置を示す図
【図２】本発明の実施形態による画像読取装置を示す図
【図３】ミラーマウントの構成を示す図
【図４】本発明の他の実施形態による画像読取装置を示す図
【符号の説明】
１    被写体
２    放射線
３    放射線源
４    蓄積性蛍光体シート
５    センサ
６    ミラーマウント
７    集光ミラー
８    センタガイド
８Ａ  開口部
10    レーザ光源
11    レーザ光
12    回転多面鏡
13a ，13b    輝尽発光光
14a ，14b    集光ガイド
15a ，15b    フォトマルチプライヤ
16a ，16b    対数増幅器
17a ，17b    Ａ／Ｄ変換器
18    記憶手段
19    画像処理手段
20    シーケンスコントローラ
【図１】
0003796637.tif 000002
【図２】
0003796637.tif 000003
【図３】
0003796637.tif 000004
【図４】
0003796637.tif 000005